(57)【要約】【課題】  パイプ等とボデーパネル等の間での振動の伝達を減少でき、長尺物の円周方向の振動に限らず、軸方向成分を持つ振動の伝達を減少する、長尺物クランプを提供する。【解決手段】  パイプ等の長尺物を保持するグリップ部５と、ボデーパネル等の被取付部材へ固定する固定部６と、グリップ部と固定部との間に、グリップ部と固定部との間での振動の伝達を減少する振動吸収部７が設けられ、振動吸収部は、グリップ部と固定部とを相互に離し及び接近する方向に撓むことができる、第１の湾曲アーム１７と第２の湾曲アーム１８とを包含し、第１湾曲アームと第２湾曲アームとは、グリップ部と固定部との間で上下に設けられ、且つ、たわみ方向が交差するように設けられている。【選択図】          図１
2005188578.tif 000002
【特許請求の範囲】
【請求項１】
パイプやワイヤハーネス等の長尺物を保持するグリップ部と、ボデーパネル等の被取付部材へ固定する固定部とを備え、前記長尺物が前記グリップ部に保持され、前記固定部は前記被取付部材に固定されることにより、長尺物が被取付部材に取付けられる構成の長尺物クランプであって、
前記グリップ部と前記固定部との間には、グリップ部と固定部との間での振動の伝達を減少する振動吸収部が設けられ、該振動吸収部は、該グリップ部と該固定部とを相互に離し及び接近する方向に撓むことができる、第１の湾曲アームと第２の湾曲アームとを包含し、前記第１湾曲アームと前記第２湾曲アームとは、前記グリップ部と前記固定部との間で上下に設けられ、且つ、たわみ方向が交差するように設けられていることを特徴とする長尺物クランプ。
【請求項２】
パイプやワイヤハーネス等の長尺物を保持するグリップ部と、ボデーパネル等の被取付部材へ固定する固定部とを備え、前記長尺物が前記グリップ部に保持され、前記固定部は前記被取付部材に固定されることにより、長尺物が被取付部材に取付けられる構成の長尺物クランプであって、
前記グリップ部は、前記長尺物の側面を半周以上受入れる湾曲収容部と、該湾曲収容部に受入れられた長尺物の側面を上側から押える弾性保持片とを備え、前記固定部は、前記グリップ部の下方に延びて前記被取付部材に固定される形状の軸部を備え、
前記グリップ部と前記固定部との間には、グリップ部と固定部との間での振動の伝達を減少する振動吸収部が設けられ、該振動吸収部は、該グリップ部と該固定部とを相互に離し及び接近する方向に撓むことができる、第１の湾曲アームと第２の湾曲アームとを包含し、前記第１湾曲アームと前記第２湾曲アームとは、前記グリップ部と前記固定部との間に上下に設けられ、且つ、たわみ方向が交差するように設けられていることを特徴とする長尺物クランプ。
【請求項３】
請求項１又は２に記載の長尺物クランプにおいて、前記第１湾曲アームと前記第２湾曲アームとは、たわみ方向が直交するように９０度の角度で交差していることを特徴とする長尺物クランプ。
【請求項４】
請求項１、２又は３のいずれか１項に記載の長尺物クランプにおいて、第１湾曲アームは前記グリップ部の下側に且つ前記第２湾曲アームは前記固定部の上側に設けられ、前記固定部の上部には、前記第２湾曲アーム及び第１湾曲アームを通って前記グリップ部の下側に隣接する位置まで延びる、両湾曲アームの上下方向のたわみ量を一定の範囲に規制するたわみ規制部材が形成されていることを特徴とする長尺物クランプ。
【請求項５】
請求項４に記載の長尺物クランプにおいて、前記規制部材は、前記固定部の上部から上方に延びる棒状部分と、前記グリップ部の下側に隣接する位置で該グリップ部の幅方向に両側に延びる水平部分とを有するＴ字部材であることを特徴とする長尺物クランプ。
【請求項６】
請求項５に記載の長尺物クランプにおいて、前記Ｔ字形状の規制部材の水平部分は、前記第１湾曲アーム又は第２湾曲アームが破損しても前記グリップ部が前記固定部から離脱するのを防止するように、前記グリップ部の下側に延びる枠部分の中に収容されていることを特徴とする長尺物クランプ。
【発明の詳細な説明】
【技術分野】
【０００１】
本発明は、パイプやワイヤハーネス等の長尺物を保持するグリップ部と、ボデーパネル等の被取付部材へ固定する固定部とを備え、長尺物がグリップ部に保持され、固定部は被取付部材に固定されて、それによって、長尺物が被取付部材に取付けられる構成の長尺物のクランプに関する。
【背景技術】
【０００２】
パイプやワイヤハーネス等の長尺物を保持するグリップ部と、ボデーパネル等の被取付部材へ固定する固定部とを備え、長尺物をグリップ部に保持し、固定部を被取付部材に固定することによって、長尺物を被取付部材に取付ける長尺物クランプは知られている。パイプ等の長尺物をボデーパネル等の被取付部材に保持する場合、パイプからの振動をボデーパネルへ伝達するのを防止し、あるいはその逆の振動の伝達を防止することが望まれている。最もよく用いられる防振手段は、ゴム等の弾性軟質材料であり、グリップ部のパイプ等を受ける底面等に取付けられて振動の伝達を減少するものである。
【０００３】
特開平７−３１０８６６号公報には、弾性軟質材料層を用いないで、グリップ部と固定部との間に、グリップ部と固定部との間での振動の伝達を減少する振動吸収部が設けられたパイプ用クランプが開示されている。このパイプクランプでは、グリップ部には一対の弾性片がパイプ側面を包持するように設けられてパイプとグリップ部本体との振動の伝達を減少し、更に、グリップ部本体と固定部との間に湾曲アームが設けられて、グリップ部と固定部との間の振動の伝達を減少する振動吸収機構が設けられている。
【０００４】
特開平９−１２６３５７号公報には、弾性軟質材料層を用いない、別の振動吸収機構を形成した長尺物クランプが開示されている。このクランプでは、１つのグリップ部には、パイプ等の長尺物を支持する底面部分から多数本のたわみ可能な湾曲保持片を立上がらせて、長尺物とグリップ部との間の振動の伝達を減少しようとしており、また、パネルに固着されたスタッドに固定する固定部とグリップ部を支持する基部との間には、３枚の螺旋形状の連結板が設けられて、固定部とグリップ部との間の振動の伝達を減少している。
【０００５】
【特許文献１】特開平７−３１０８６６号公報
【特許文献２】特開平９−１２６３５７号公報
【発明の開示】
【発明が解決しようとする課題】
【０００６】
弾性軟質材料層を用いた振動吸収手段の場合、弾性軟質材料層をグリップ部に固着させるために、金型の数が、弾性軟質材料層を使用しないものよりも増加し、製品のコストを増大してしまい、また、組付け工数も増大する。それに対して、上記特許文献１及び特許文献２に記載のパイプ等のクランプは、弾性軟質材料層を使用することなく、保持したパイプ等の長尺物とボデーパネル等の被取付部材との間での振動の伝達を吸収する構成又は機構が設けられている。
【０００７】
しかし、特許文献１の振動吸収機構では、特許文献１のグリップ部と固定部との間の湾曲アームは、パイプに対して円周方向の振動の吸収には貢献しているが、パイプに対して円周方向以外の方向（パイプ軸方向）の振動の吸収には適していない。また、パイプを保持するのはグリップ部の剛性の低い弾性片で成るパイプ保持片であるので、パイプへ異常な力が加わった場合に弾性保持片が破損し易く、破損によって、保持していたパイプがクランプから脱落する惧れがある。更に、湾曲アームが破損した場合には、パイプが被取付部材から脱落する惧れも残っている。
【０００８】
特許文献２の振動吸収機構では、グリップ部の底面にたわみ可能な湾曲保持片を複雑に立上がらせるため、その成形の金型が複雑になり、製品コストを増大する。また、パネルに固着されたスタッドに固定する固定部とグリップ部を支持する基部との間の振動吸収機構には、３枚の螺旋形状の連結板が設けられるので、この場合にも、金型が複雑になり、製品コストを増大する。更に、それらの振動吸収機構が破損した場合、保持していたパイプがクランプから脱落する惧れもある。
【０００９】
従って、本発明の目的は、パイプ等の長尺物とボデーパネル等の被取付部材との間での振動の伝達を減少する振動吸収機構を簡単な形状で得ることができ、長尺物に対して円周方向の振動に限らず、長尺物の軸方向成分を持つ振動の伝達を減少できる、パイプ等の長尺物クランプを提供することにある。
【課題を解決するための手段】
【００１０】
かかる目的を達成するため、本発明によれば、パイプやワイヤハーネス等の長尺物を保持するグリップ部と、ボデーパネル等の被取付部材へ固定する固定部とを備え、長尺物がグリップ部に保持され、固定部は被取付部材に固定されることにより、長尺物が被取付部材に取付けられる構成の長尺物クランプであって、グリップ部と固定部との間に、グリップ部と固定部との間での振動の伝達を減少する振動吸収部が設けられ、該振動吸収部は、該グリップ部と該固定部とを相互に離し及び接近する方向に撓むことができる、第１の湾曲アームと第２の湾曲アームとを包含し、第１湾曲アームと第２湾曲アームとは、グリップ部と固定部との間で上下に設けられ、且つ、たわみ方向が交差するように設けられていることを特徴とする長尺物クランプが提供される。
【００１１】
かかる長尺物クランプによれば、弾性軟質材料層を用いないで、グリップ部と固定部との間で上下に設けられた第１湾曲アームと第２湾曲アームとがたわみ方向が交差するように設けられているので、振動吸収機構を簡単な形状で得ることができ、金型コストを低く抑えることができ、第１湾曲アームと第２湾曲アームとによって、パイプ等の長尺物に対して円周方向の振動に限らず、長尺物の軸方向成分を持つ振動についても伝達を減少することができる。
【００１２】
上記長尺物クランプにおいては、グリップ部が、長尺物の側面を半周以上受入れる湾曲収容部と、該湾曲収容部に受入れられた長尺物の側面を上側から押える弾性保持片とを備え、固定部が、グリップ部の下方に延びて被取付部材に固定される形状の軸部を備え、グリップ部と固定部との間の振動吸収部を構成する第１湾曲アームと第２湾曲アームとが、たわみ方向が交差するように設けられているのが好ましい。更に、第１湾曲アームと第２湾曲アームとは、たわみ方向が直交するように９０度の角度で交差して設けられているのが好ましく、これによって、一方の湾曲アームが長尺物に対して円周方向の振動の伝達を減少でき、他方の湾曲アームが長尺物の軸方向成分の振動の伝達を減少でき、全方位の振動を吸収できる。
【００１３】
更に、上記長尺物クランプにおいて、第１湾曲アームはグリップ部の下側に、そして第２湾曲アームは固定部の上側に設けられ、固定部の上部には、第２湾曲アーム及び第１湾曲アームを通ってグリップ部の下側に隣接する位置まで延びる、両湾曲アームの上下方向のたわみ量を一定の範囲に規制するたわみ規制部材が形成されているのが好ましく、これによって、第１湾曲アームと第２湾曲アームのたわみ量を一定の範囲に規制して、保持したパイプ等の長尺物の移動範囲を規制できる。この場合、規制部材は、固定部の上部から上方に延びる棒状部分と、グリップ部の下側に隣接する位置で該グリップ部の幅方向に両側に延びる水平部分とを有するＴ字部材であるのが好ましい。
【００１４】
更にまた、上記長尺物クランプにおいて、Ｔ字形状の規制部材の水平部分は、第１湾曲アーム又は第２湾曲アームが破損してもグリップ部が固定部から離脱するのを防止するように、グリップ部の下側に延びる枠部分の中に収容されているのが好ましく、これによって、たとえ、第１湾曲アーム又は第２湾曲アームが、衝突等によって破損しても長尺物が被取付部材から脱落するのを防止できる。
【発明を実施するための最良の形態】
【００１５】
以下、図面を参照して、本発明の１実施形態に係る長尺物クランプについて説明する。図１〜図６に、本発明の１実施形態に係る長尺物クランプ１が示されている。図７及び図８は、保持した長尺物としてのパイプ２と被取付部材であるボデーパネル３との間での長尺物クランプ１の振動吸収作用を示している。
【００１６】
図１〜図６において、長尺物クランプ１は、硬質の合成樹脂で一体成形される。長尺物クランプ１は、パイプ２とボデーパネル３の間での振動の伝達を減少するのに、弾性軟質材料層を用いていない。長尺物クランプ１は、パイプ２やワイヤハーネス等の長尺物を保持するグリップ部５と、ボデーパネル３等の被取付部材へ固定する固定部６と、グリップ部５と固定部６との間での振動の伝達を減少する、グリップ部５と固定部６との間に設けられた振動吸収部７とを包含する。グリップ部５は、パイプ２の側面を半周以上受入れる可撓性の湾曲収容部９と、湾曲収容部９の一方の上方延長部１０から湾曲収容部９に折返して湾曲収容部９に受入れられたパイプ２の側面を上側から押える弾性保持片１１とを備えている。なお、グリップ部５は、パイプ等の長尺物を保持できる限り、他の任意の形状又は構造のものとすることができる。
【００１７】
固定部６は、振動吸収部７を間にしてグリップ部５の下方に延びた軸部１３と、上端の円形フランジ１４とを備えている。軸部１３は、ボデーパネル３の取付穴に挿入されて固定される形状に形成されている。軸部１３は、ボデーパネル取付穴の角穴に合わせて角筒形状に形成されるのが好ましく、グリップ部５に保持したパイプ２が軸部１３の軸回りの回転を防止できる。軸部１３の２つの対向する側面には、ボデーパネル３の取付穴への固定のために、弾性係止爪１５が形成されている。フランジ１４は、ボデーパネル３への固定を安定させるように大きめの円形であって縁部が下方に傾斜した吸盤形状に形成されるに形成されるのが好ましい。この吸盤形状に形成されたフランジ１４は、また、ボデーパネル３の取付穴の隣接面へフランジ１４が押えられたとき、その反力によって縁部がパネル面に密接するので好ましく、更に、その反力によって固定力が向上する。なお、固定部６は、円筒形状であってもよく、ボデーパネルにスタッドが立設されている場合には、そのスタッドに係合して固定する構造のものでもよく、ボデーパネル等の被取付部材に固定できる限り、任意の形状、構造のものであってよい。
【００１８】
振動吸収部７は、グリップ部５と固定部６とを相互に離したり接近したりする上方方向に撓むことができる、第１の湾曲アーム１７と、同様に上下方向に撓むことのできる第２の湾曲アーム１８とを包含する。可撓性の第１湾曲アーム１７は、上部がグリップ部５の湾曲収容部９の底面に一体に形成されてグリップ部５に堅く連結され、連結部分から湾曲収容部９の張出し方向と平行に両側に水平に張出した、２つの広幅の板状の水平張出し部１９が形成されている。各水平張出し部１９の端部には、下方に向けて湾曲した湾曲部分２１が形成されてている。第１湾曲アーム１７は、図７に図示のように、パイプ２の円周方向に沿って上下又は横方向に撓むことができる。
【００１９】
第１湾曲アーム１７の２つの湾曲部分２１の下端部のそれぞれは、２つの可撓性の第２湾曲アーム１８に一体成形されて堅く連結されている。これらの２つの可撓性の第２湾曲アーム１８のそれぞれは、下部が固定部６のフランジ１４の縁部に一体に形成されて固定部６に堅く連結され、第１湾曲アーム１７と固定部６が、２つの第２湾曲アーム１８によって一体に連結されている。各第２湾曲アーム１８の下部は、フランジ１４への連結部分からグリップ部５の湾曲収容部９の張出し方向と直角（すなわちグリップ部５に保持されたパイプ２と平行）に両側に水平に張出した張出し部２２が形成され、各張出し部２２の端部には、上方に向けて湾曲した湾曲部分２３が形成され、両湾曲部分２３の上部は相互に連結されるとともに、第１湾曲アーム１７への連結部分２５となっている。２つの第２湾曲アーム１８は、図８に図示のように、パイプ２の軸方向に沿って上下又は横方向に撓むことができる。
【００２０】
なお、第１湾曲アーム１７と第２湾曲アーム１８とは、グリップ部５と固定部６の間に上下に設けられて、グリップ部５に保持したパイプ等の長尺物の円周方向の振動成分及び軸方向の振動成分を吸収するようになっている限り、第１湾曲アーム１７のたわみ方向と第２湾曲アーム１８のたわみ方向とは、直交するものに限らず、交差するように設けられればよい。また、図示のように、長尺物クランプ１は、特許文献２のような、複雑な形状を不要にしており、金型も簡単な構造のものでよく、製造コストを低くできる。
【００２１】
長尺物クランプ１には、固定部６の上部のフランジ１４に、第２湾曲アーム１８及び第１湾曲アーム１７を通ってグリップ部５の湾曲収容部９の底面の下側に隣接する位置まで延びるたわみ規制部材２６が形成されている。たわみ規制部材２６は、フランジ１４から棒状に延び、湾曲収容部９の底面の下側に隣接する位置で湾曲収容部９の幅方向に両側に延びる水平部分を有するＴ字部材に形成されている。湾曲収容部９の底面の下面側部分には、Ｔ字形状のたわみ規制部材２６の水平部分を囲む枠部２７が形成されている。たわみ規制部材２６は、グリップ部５が固定部６に向けて近づく方向にたわみ過ぎる場合には、上部の水平部分がグリップ部５の下面に当接して規制し、グリップ部５が固定部６から離れる方向にたわみ過ぎる場合には、水平部分が枠部２７に係合してその動きを規制する。更に、車の衝突などによる異常に強い力が加わって、第１湾曲アーム１７又は第２湾曲アーム１８が破損しても、たわみ規制部材２６は枠部２７の中に収容されたままあるので、グリップ部５は固定部６から離脱するのを防止する。従って、グリップ部５に保持されたパイプ２はボデーパネル２から脱落するのを防止できる。
【００２２】
図７及び図８は、長尺物クランプ１を用いて長尺物であるパイプ２を被取付部材であるボデーパネル３に取付けた状態を示している。図７において、第１湾曲アーム１７は、パイプ２の円周方向に沿う振動に合わせて、矢印２９、３０及び３２に示すようにたわむことができ、パイプ２の円周方向の振動の伝達を減少する。図８においては、第２湾曲アーム１８は、パイプ２の軸方向に沿う振動に合わせて、矢印３１、３３及び３４に示すようにたわむことができ、パイプ２の軸方向の振動の伝達を減少する。このように、第１湾曲アーム１７と第２湾曲アーム１８とによって、全方位の振動を吸収できる。
【図面の簡単な説明】
【００２３】
【図１】本発明の１実施形態に係る長尺物クランプの斜視図である。
【図２】図１の長尺物クランプの正面図である。
【図３】図１の長尺物クランプの底面図である。
【図４】図２の長尺物クランプの右側面図である。
【図５】図２の長尺物クランプのＶ−Ｖ線断面図である。
【図６】図４の長尺物クランプのＶＩ−ＶＩ線断面図である。
【図７】パイプをボデーパネルに取付けた状態を示す図１の長尺物クランプの正面図である。
【図８】図７の長尺物クランプの右側面図である。
【符号の説明】
【００２４】
１  長尺物クランプ
２  パイプ（長尺物）
３  ボデーパネル（被取付部材）
５  グリップ部
６  固定部
７  振動吸収部
９  グリップ部の湾曲収容部
１１  弾性保持片
１３  固定部の軸部
１４  フランジ
１５  弾性係止爪
１７  第１湾曲アーム
１８  第２湾曲アーム
１９  水平張出し部
２１  湾曲部分
２２  張出し部
２３  湾曲部分
２５  連結部分
２６  たわみ規制部材
２７  枠部
【図１】
2005188578.tif 000003
【図２】
2005188578.tif 000004
【図３】
2005188578.tif 000005
【図４】
2005188578.tif 000006
【図５】
2005188578.tif 000007
【図６】
2005188578.tif 000008
【図７】
2005188578.tif 000009
【図８】
2005188578.tif 000010